(57)【特許請求の範囲】
【請求項１】
少なくとも１つの操作キーに対応する開口を有する筐体と、
前記筐体内に配置され、前記操作キーに対応する電極と前記電極の周辺位置に設けられる発光素子とを有する基板と、
前記基板上に設けられ、前記電極を通電可能にする可動接点部を有するとともに前記発光素子からの光が透過するように構成されたキー接点プレートと、
前記開口に設けられ、少なくとも一部が光透過部材で形成された本体部と、前記筐体の内側に位置する部分に設けられ、前記本体部に光を伝搬するフランジ部と、を有する操作キーと、を備え、
前記フランジ部は、前記発光素子に対向する部分の少なくとも一部が切欠かれた形状となることを特徴とする電子機器。
【請求項２】
前記操作キーは、前記操作キーの裏面に操作キーの種類を表す表示が印刷されていることを特徴とする請求項１に記載の電子機器。
【請求項３】
前記開口は、前記切り欠きに対向する前記開口の縁部が操作キー側に向く傾斜面となるように面取りされていることを特徴とする請求項１又は請求項２に記載の電子機器。
【請求項４】
前記キー接点プレートには、前記発光素子と対向する位置の表面側に遮光部が設けられていることを特徴とする請求項１から請求項３のいずれか１項に記載の電子機器。
【請求項５】
前記遮光部が、遮光用塗料で形成されていることを特徴とする請求項４に記載の電子機器。
【請求項６】
前記フランジ部は、前記発光素子に近接する辺が略直線形状に形成され、
前記切り欠きは、前記略直線形状の部分の中間に形成されていることを特徴とする請求項１から請求項５のいずれか１項に記載の電子機器。
【請求項７】
前記筐体は、前記複数の前記開口の設けられる領域の外周に溝部を有し、
前記キー接点プレートは、前記キー接点プレートの外周に前記溝部に向いて突出する突出部を有し、
前記突出部が、前記溝部に嵌め込まれることで前記開口と前記操作キーとの隙間から浸入する液体の前記基板側への浸入を防止する防滴構造を形成していることを特徴とする請求項１から請求項６のいずれか１項に記載の電子機器。
【請求項８】
前記筐体は、表示画面のための画面用開口を有し、
前記画面用開口は、透明プレートによって塞がれていることを特徴とする請求項１から請求項７のいずれか１項に記載の電子機器。
【請求項９】
前記キー接点プレートは、ゴム材料からなることを特徴とする請求項１から請求項８のいずれか１項に記載の電子機器。
【請求項１０】
前記発光素子は、前記操作キーを見る正面視の配置状態で前記基板を見たときに、前記各電極に対して前方向側の位置に、少なくとも設けられることを特徴とする請求項１から請求項９のいずれか１項に記載の電子機器。
【請求項１１】
前記発光素子は、前記操作キーを見る正面視の配置状態で前記基板を見たときに、前記各電極に対して左右方向のいずれか一方側に、少なくとも設けられることを特徴とする請求項１から請求項１０のいずれか１項に記載の電子機器。
【請求項１２】
前記接点部は、カーボンで形成されていることを特徴とする請求項１から請求項１１のいずれか１項に記載の電子機器。
【請求項１３】
前記電子機器が電子式卓上計算機であることを特徴とする請求項１から請求項１２のいずれか１項に記載の電子機器。
【発明の詳細な説明】
【技術分野】
【０００１】
本発明は、電子機器に関する。
【背景技術】
【０００２】
照明がない暗所や夜間において、電子式卓上計算機などの電子機器を使用したい場合、これまでは、操作キーを懐中電灯などの明かりで照らしながら操作することが一般に行われていた。
【０００３】
しかし、明かりをうまく置く場所がないときは、手に明かりを持った状態で操作キーを操作しなければならず、作業性が悪い。また、明かりを使わずに暗所や夜間に操作キーを操作すると、間違った操作キーを押してしまう場合がある。
【０００４】
なお、操作キーを照光させる技術が開示されている（特許文献１，２参照）。
しかし、本発明者らの認識する範囲では、電子式卓上用計算機などの電子機器において、暗所や夜間であっても操作キーを視認可能とした先行技術は発見されていない。
【先行技術文献】
【特許文献】
【０００５】
【特許文献１】特開２００２−８４７８号公報
【特許文献２】特開２００３−１５１３９１号公報
【発明の概要】
【発明が解決しようとする課題】
【０００６】
本発明は、上記のような事情に鑑みなされたものであり、簡易的な構造により、操作キーを照光させて暗所や夜間における操作性を高めるとともに、操作キー全体を比較的均一に照光させて見栄えを高めた電子機器を提供することを目的とする。
【課題を解決するための手段】
【０００７】
本発明は、以下の構成によって把握される。
本発明の電子機器は、少なくとも１つの操作キーに対応する開口を有する筐体と、前記筐体内に配置され、前記操作キーに対応する電極と前記電極の周辺位置に設けられる発光素子とを有する基板と、前記基板上に設けられ、前記電極を通電可能にする可動接点部を有するとともに前記発光素子からの光が透過するように構成されたキー接点プレートと、前記開口に設けられ、少なくとも一部が光透過部材で形成された本体部と、前記筐体の内側に位置する部分に設けられ、前記本体部に光を伝搬するフランジ部と、を有する操作キーと、を備え、前記フランジ部は、前記発光素子に対向する部分の少なくとも一部が切欠かれた形状となることを特徴とする。
【発明の効果】
【０００８】
本発明によれば、簡易的な構造により、操作キーを照光させて暗所や夜間における操作性を高めるとともに、操作キー全体を比較的均一に照光させて見栄えを高めた電子機器を提供することができる。
【図面の簡単な説明】
【０００９】
【図１】本発明に係る実施形態の電子機器の平面図である。
【図２】図１のＡ−Ａ線断面図である。
【図３】配列状態の複数の操作キーの平面図である。
【図４】上部筐体の裏面図である。
【図５】図４の上部筐体に複数の操作キーを嵌め込んだ状態を示す図である。
【図６】弾性プレートの平面図である。
【図７】（ａ）は図６のＢ−Ｂ線断面図、（ｂ）は（ａ）のＣ部拡大図である。
【図８】弾性プレートの裏面図である。
【図９】基板の平面図である。
【図１０】電子機器の作用説明図である。
【図１１】第１変形例の説明図であり、図２に対応する図である。
【図１２】第２変形例の説明図であり、図２に対応する図である。
【発明を実施するための形態】
【００１０】
以下、添付図面を参照して、本発明を実施するための形態（以下、「実施形態」と称する）について詳細に説明する。なお、実施形態の説明の全体を通して同じ要素には同じ番号を付している。また、実施形態及び図中において、「左」、「右」は、各々、電子機器に正対したときの「左」、「右」を示す。また、実施形態及び図中において、「前」は、電子機器に正対したときの「奥」方向を示し、「後」は、電子機器に正対したときの「手前」方向を示す。
【００１１】
（電子機器１０の全体構成）
まず、実施形態の電子機器１０の全体構成を図１、図２に基づいて説明する。
図１は電子機器１０の平面図、図２は図１のＡ−Ａ線断面図である。
【００１２】
図１に示すように、実施形態の電子機器１０は、四則演算や、その混合、応用計算などを行う略平板型の電子式卓上計算機（いわゆる電卓）であり、表示部２０と、この表示部２０よりも後方向側に設けられ、複数の操作キー３１を有する入力部３０とを備える。
【００１３】
以下の説明及び図中において、複数の操作キー３１を区別して説明する場合は「操作キー３１」に「ａ」，「ｂ」，「ｃ」，「ｄ」を後続させ、まとめて称する場合、「操作キー３１」と記載する。また、複数の操作キー３１ａ〜３１ｄに対応する他の要素について、区別して説明する場合は同一の符号に「ａ」，「ｂ」，「ｃ」，「ｄ」を後続させ、まとめて称する場合は符号のみを用いる。例えば、複数の操作キー３１ａ〜３１ｄに対応する複数の開口５１について、区別して説明する場合は「開口５１ａ」，「開口５１ｂ」，「開口５１ｃ」，「開口５１ｄ」と記載し、これらをまとめて称する場合は「開口５１」と記載する。
【００１４】
表示部２０は、液晶表示素子やＥＬ（エレクトロルミネッセンス）表示素子などの平面型の表示素子からなる表示画面２１を有する。表示画面２１は、入力部３０の複数の操作キー３１からの入力情報及び演算処理結果などを表す数字や文字、記号を電気光学的に表示する。
【００１５】
また、電子機器１０は、表示部２０及び入力部３０のそれぞれの基体を構成する筐体５０を備える。この筐体５０は、下側の下部筐体５０Ｄと、下部筐体５０Ｄに上側から合わさる上部筐体５０Ｕとからなる。上部筐体５０Ｕは、複数の操作キー３１ａ〜３１ｄに対応する複数の開口５１ａ，５１ｂ，５１ｃ，５１ｄと、表示画面２１のための画面用開口５７と、を有する。
【００１６】
また、図２に示すように、電子機器１０は、複数の操作キー３１の裏面側に設けられる弾性プレート７０を備える。この弾性プレートはキー接点プレートとも呼ばれる。さらに、電子機器１０は、この弾性プレート７０の裏面側に設けられる基板９０と、この基板９０に搭載され複数の操作キー３１を照光させる複数の発光素子（例えば、発光ダイオード）９１と、を下部筐体５０Ｄと上部筐体５０Ｕの間に備える。
【００１７】
（複数の操作キー３１の構成）
次に、複数の操作キー３１の構成を図３に基づいて説明する。
図３は配列状態の複数の操作キー３１の平面図である。図３では、筐体５０の外形線を二点鎖線で示す。また、操作キー３１の１つを抜き出して拡大して示している。
【００１８】
図３に示すように、複数の操作キー３１は、筐体５０の後部に配列される入力キー群３３Ａと、この入力キー群３３Ａの前方向側に配列される入力キー群３３Ｂと、この入力キー群３３Ｂの前方向側に配列される入力キー群３３Ｃとで構成される。
【００１９】
なお、入力キー群３３Ｂの左右方向中央には、表示画面２１内で編集対象位置や選択対象位置を示すカーソルを所定の方向に移動させる４個の操作キー（カーソルキー）３１ｄが配置される（図１参照）。
【００２０】
入力キー群３３Ａは，例えば、数値や四則演算の記号を表示する複数の操作キー３１ａ（例えば、テンキーなど）からなる。この例では、左右方向に等間隔に並ぶ５個の操作キー３１ａを前後方向に４列設け、合計２０個の操作キー３１ａが格子点状に規則的に配列される。
【００２１】
入力キー群３３Ｂは，例えば、各種の演算記号などを表示する複数の操作キー３１ｂからなる。この例では、４個の操作キー３１ｄ（図１参照）の左側に４個の操作キー３１ｂを左右方向及び前後方向に並べて配置する。また、４個の操作キー３１ｄ（図１参照）の右側に４個の操作キー３１ｂを左右方向及び前後方向に並べて配置し、合計８個の操作キー３１ｂを規則的に配列する。
【００２２】
入力キー群３３Ｃは，例えば、ファンクションキーなどの複数の操作キー３１ｃからなる。この例では、６個の操作キー３１ｃを左右方向に等間隔に配列する。
【００２３】
このような入力キー群３３Ａ〜３３Ｃを構成する各操作キー３１は、開口５１（図２参照）に下方から挿入される略四辺形状のキー本体３５と、このキー本体３５の下端部に鍔状に形成され開口５１（図２参照）の周囲で保持されるフランジ部３６とを有する。
【００２４】
複数の操作キー３１は、光を透過する材料で形成され、例えば、透明性や半透明性を有する樹脂材料、乳白色の樹脂材料などで形成される。また、キー本体３５の裏面には、操作キー３１の種類を表す数字や文字、記号などの表示３７が印刷される。
【００２５】
フランジ部３６は、キー本体３５の外形に沿って略四辺形状に形成されており、左右の辺４１及び前後の辺４２を有する。そして、フランジ部３６の辺４１，４２のうち、発光素子９１に近接する辺には、少なくとも切り欠き４３が形成されている。
【００２６】
（発光素子９１の配置例）
切り欠き４３の説明に先立ち、発光素子９１の配置例について述べる。
図３に示すように、複数の発光素子９１は、操作キー３１の周囲に設けられており、各操作キー３１の少なくとも前方向側に配置することができる。また、操作キー３１の左右方向のいずれか少なくとも一方側に発光素子９１を配置することができる。
【００２７】
例えば、前後方向に隣り合う２つの操作キー３１の間及び最前端の操作キー３１ｃの前方向近傍のそれぞれに、複数の発光素子９１を配置することができる（黒く塗りつぶした四角で示す）。あるいは、左右方向に隣り合う２つの操作キー３１の間に、複数の発光素子９１を配置することができる（白抜きの四角で示す）。あるいは、前後方向に隣り合う２つの操作キー３１の間、左右方向に隣り合う２つの操作キー３１の間及び最前端の操作キー３１ｃの前方向近傍のそれぞれに、複数の発光素子９１を配置することができる。
【００２８】
（切り欠き４３の構成）
切り欠き４３は、複数の発光素子９１の配置に対応して、各操作キー３１に形成される。この例では、左右の辺４１及び前後の辺４２のうち、配置された発光素子９１に近接する略直線形状の部分の中間に、切り欠き４３を形成する。すなわち、図３において二点鎖線で囲われる４つの部分４５のうち、発光素子９１に近接する少なくとも１つの部分に、切り欠き４３が形成される。切り欠き４３は、辺４１，４２の中間の他、各辺４１，４２の隅部４６寄りに偏在させてもよく、辺４１，４２における任意の位置に形成可能である。また、フランジ部３６では、辺４１，４２の一部を切り欠く他、必要に応じて辺４１，４２の全体を切り欠くようにしてもよい。
【００２９】
なお、この例では、操作キー３１ａ〜３１ｃにおける切り欠き４３について説明したが、カーソルキーである操作キー３１ｄ（図１参照）においても、同様に切り欠きを形成することができる。
【００３０】
（上部筐体５０Ｕの構成）
次に、上部筐体５０Ｕの構成を図４、図５に基づいて説明する。
図４は上部筐体５０Ｕの裏面図、図５は図４の上部筐体５０Ｕに複数の操作キー３１を嵌め込んだ状態を示す図である。図４では、開口５１の１つを抜き出して拡大して示し、図５では、１組の開口５１及び操作キー３１を抜き出して拡大して示す。
【００３１】
図４に示すように、上部筐体５０Ｕは、複数の操作キー３１ａ〜３１ｃ（図３参照）及び操作キー３１ｄ（図１参照）に対応する複数の開口５１ａ〜５１ｃ及び開口５１ｄを有する。
【００３２】
開口５１ａ〜５１ｃは、フランジ部３６（図３参照）の外形に対応する略四辺形状に形成される。開口５１ａ〜５１ｃは、左右の辺４１（図３参照）及び前後の辺４２（図３参照）を上方から保持する左右の縁部５２及び前後の縁部５３を有する。
【００３３】
各開口５１において、左右の縁部５２及び前後の縁部５３のうち、切り欠き４３（図３参照）に対向する縁部は、操作キー３１（図３参照）側に向く傾斜面５５となるように面取りされている。すなわち、図４において二点鎖線で囲われる４つの部分５６のうち、発光素子９１に近接する少なくとも１つの部分に、傾斜面５５が形成される。なお、上部筐体５０Ｕの裏面に対する傾斜面５５の傾斜角θ（図２参照）は、この例では、４５°に設定したが、発光素子９１の仕様などに応じて任意に変更可能である。
【００３４】
図５に示すように、傾斜面５５と切り欠き４３とは、上部筐体５０Ｕの裏面側から操作キー３１を開口５１に挿入した状態において合わさる（対向する）。
【００３５】
また、上部筐体５０Ｕは、表示画面２１（図１参照）のための画面用開口５７を有し、この画面用開口５７は、透明プレート５８によって塞がれている。さらに、上部筐体５０Ｕは、複数の開口５１が設けられる領域の外周に環状の溝部６１を有する。この溝部６１は、リブ構造で形成されており、弾性プレート７０の突出部７２（後述）と嵌合可能である。また、この溝部６１の外側には、下部筐体５０Ｄの溝部６２（後述）に嵌合可能な環状の突出部６３が設けられる。この突出部６３は、ゴム材料などの弾性体であり、例えば、２色成形法により上部筐体５０Ｕに一体に形成することができる。
【００３６】
さらに、上部筐体５０Ｕの裏面には、隣り合う２つの操作キー３１の間を延びるように補強用のリブ６５を形成することができる。このリブ６５は、図５において「９」を表示する操作キー３１ａの前方向側及び後方向側で例示されるように、発光素子９１に対応する位置が部分的に切り欠かれており、これによって、リブ６５と発光素子９１との干渉が防止されている。
【００３７】
（弾性プレート（キー接点プレート）７０の構成）
続いて、弾性プレート７０の構成を図６〜図８に基づいて説明する。
図６は弾性プレート７０の平面図、図７（ａ）は図６のＢ−Ｂ線断面図、図７（ｂ）は（ａ）のＣ部拡大図、図８は弾性プレート７０の裏面図である。
【００３８】
図６に示すように、弾性プレート７０は、略平板状のプレート本体７１と、このプレート本体７１の外周に沿って形成される環状の突出部７２とを有する。また、弾性プレート７０は、複数の操作キー３１ａ〜３１ｄ（図３参照）に対応した位置に設けられる複数の弾性変形部７３ａ，７３ｂ，７３ｃ，７３ｄと、複数の発光素子９１（図３参照）と対向する位置に設けられる複数の凹部７５とを備える。弾性プレート７０は、光を透過するゴム材料で形成される。
【００３９】
図７（ａ）に示すように、突出部７２は、上部筐体５０Ｕの溝部６１に向かって突出しており、突出部７２が溝部６１に嵌め込まれることで、開口５１と操作キー３１との隙間から浸入する液体の基板９０側への浸入を防止する防滴構造が形成されている。また、下部筐体５０Ｄにも、その外周に沿って環状の溝部６２を設けることができ、この溝部６２に上部筐体５０Ｕの突出部６３が嵌め込まれることによっても防滴構造が形成されている。
【００４０】
図７（ｂ）に示すように、凹部７５は、プレート本体７１の裏面側に開放した凹みであり、この凹部７５は、発光素子９１を収容するように発光素子９１に上方から被さる。また、凹部７５の天井部の表面側には、例えば、遮光用塗料で形成される遮光部７６が設けられている。
【００４１】
弾性変形部７３は、プレート本体７１の裏面側から表面側に凹むように形成される椀状の部分であり、可動部７７及び変形部７８で構成される。可動部７７は、操作キー３１の下方に設けられており、操作キー３１が押されることで下方に動作する。変形部７８は、可動部７７の周囲に設けられ、可動部７７が下方に動作したときに弾性変形する一方、操作キー３１が解放されると復元して可動部７７を上方に戻す。このように動作する可動部７７及び変形部７８は、操作キー３１を介して使用者にクリック感を与える。
【００４２】
また、図８に示すように、可動部７７の裏面側には、通電可能な接点部８１ａ，８１ｂ，８１ｃ，８１ｄが設けられ、基板９０上に設けられた固定電極９２に対する可動接点となる。この接点部８１は、例えば、カーボン蒸着により形成される。さらに、プレート本体７１の裏面側には、弾性変形部７３とプレート本体７１の外縁とを連通する複数の空気通路８２が格子状に形成される。
【００４３】
複数の空気通路８２は、プレート本体７１の裏面側に溝状に形成される。複数の空気通路８２は、操作キー３１（図３参照）が操作されて可動部７７（図７（ｂ）参照）が上下方向に動作する際、弾性変形部７３内の空気をプレート本体７１の外縁から出し入れする。これにより、弾性変形部７３内の空気の圧力上昇が防止され、可動部７７が円滑に動作する。
【００４４】
（基板９０の構成）
次に、基板９０の構成を図９に基づいて説明する。
図９は基板９０の平面図である。図９では、筐体５０の外形線を二点鎖線で示す。
【００４５】
図９に示すように、基板９０は、接点部８１ａ〜８１ｄ（図８参照）に対応した電極９２ａ，９２ｂ，９２ｃ，９２ｄを有する。通常、接点部８１は、これら電極９２に対して上方に離間している（図２参照）。この状態から操作キー３１が押されて可動部７７が下方に動作すると、接点部８１が電極９２に押し付けられる。これにより、電極９２ａ〜９１ｄが通電して、操作キー３１ａ〜３１ｄのいずれのキーが押されたかが検知される。
【００４６】
また、基板９０において、複数の発光素子９１は、電極９２の周囲に搭載される。複数の発光素子９１は、複数の操作キー３１（図３参照）を見る正面視の配置状態で基板９０を見たときに、各電極９２に対して前方向側の位置に、少なくとも設けることができる（黒く塗りつぶした四角で示す）。また、発光素子９１は、各電極９２に対して左右方向のいずれか一方側に少なくとも設けることができる（白抜きの四角で示す）。
【００４７】
（電子機器１０の作用・効果）
以上、説明した電子機器１０の作用・効果を図１０に基づいて述べる。
図１０に示すように、電子機器１０では、点灯した発光素子９１から放射された光が、弾性プレート７０を透過して上部筐体５０Ｕの裏面側に照射される。この際、弾性プレート７０を透過した光のうち一部の光Ｌは、発光素子９１に近接する操作キー３１にフランジ３１の切り欠き４３を介して照射される。つまり照射された光はフランジ３１（切り欠かれた部分を含む）によりキー本体に伝搬され、これにより、操作キー３１の周囲や表示３７を照光させることができ、使用者は暗所や夜間であっても操作キー３１及びその表示３７を視認することができる。したがって、電子機器１０では、部品点数の増加を抑えた簡易的な構造により、操作キー３１を照光させて暗所や夜間における操作性を高めるとともに、操作キー３１全体を比較的均一に照光させて見栄えを高めることができる。
【００４８】
また、切り欠き４３に対向する開口５１の縁部５２，５３を面取りしたので、発光素子９１から操作キー３１に向かう光路を十分に確保した構造が得られる。これにより、発光素子９１からの光を傾斜面５５によって操作キー３１側に効率的に取り込むことができ、操作キー３１の周囲及び表示３７をより明るく照光させることができる。
【００４９】
また、弾性プレート７０における発光素子９１と対向する位置の表面側に、遮光部７６を設けたので、発光素子９１から上向きに放射される光の一部が遮光部７６によって遮光される。
【００５０】
仮に、遮光部７６を弾性プレート７０に設けない場合について考える。この場合、発光素子９１から上向きに放射される光が多くなり、表示３７よりも操作キー３１の周囲がより明るくなるため、表示３７が見づらくなるおそれがある。
【００５１】
この点、遮光部７６を設けた場合、発光素子９１からの光の一部が遮光部７６によって遮光されるため、操作キー３１の周囲がより明るく光ってしまうことを防止できる。その結果、表示３７を含む操作キー３１全体をより均一に照光させることができる。
【００５２】
また、フランジ部３６の四つの隅部４６を避けて、辺４１，４２の中間に切り欠き４３を形成することにより、操作キー３１の四つの隅部４６の形状を維持できる。これにより、フランジ部３６に切り欠き４３を設けても、操作キー３１の上下方向の動作及び支点位置が安定するため、操作キー３１の操作性を維持することができる。
【００５３】
さらに、弾性プレート７０の突出部７２を上部筐体５０Ｕの溝部６１に嵌め込む防滴構造によって、開口５１と操作キー３１との隙間から浸入する液体の基板９０側への浸入を防止することができる。
【００５４】
加えて、画面用開口５７を透明プレート５８によって塞ぐことにより、画面用開口５７からの液体の浸入を防止する防滴構造も得ることができる。
【００５５】
（電子機器の変形例）
次に、電子機器の変形例を図１１、図１２に基づいて説明する。なお、以下の変形例において、前述した電子機器１０（図２参照）と共通する要素には同じ符号を付して、重複する説明を省略することとする。
【００５６】
（第１変形例）
前述した電子機器１０（図２参照）においては、フランジ部３６の発光素子９１に近接する部分に切り欠き４３を設け、開口５１の縁部５２，５３を面取りした構成したが、切り欠き及び傾斜面を形成せずに、操作キー３１を照光させることもできる。
【００５７】
図１１に示すように、例えば、第１変形例の電子機器１００では、上部筐体５０Ｕの裏面の開口５１近傍でかつ発光素子９１の上方に、鏡面リブ１０１を形成する。この鏡面リブ１０１は、頂部を下方に向けた略山形に形成されており、鏡面加工された２つの傾斜面１０２を有する。各傾斜面１０２は、発光素子９１から上方に向かう光を操作キー３１側に反射する反射面として形成される。なお、この例では、凹部７５の表面側に遮光部を設けない構成を示す。
【００５８】
この第１変形例の電子機器１００によれば、点灯した発光素子９１から放射された光が、弾性プレート７０を透過した後、傾斜面１０２で反射されて操作キー３１の下部（例えば、フランジ部３６の外周）に照射される。これにより、操作キー３１の周囲や表示３７を十分な光量で照光させることができ、使用者は暗所や夜間であっても操作キー３１及びその表示３７を視認することができる。したがって、電子機器１００においても、簡易的な構造により、操作キー３１を照光させて暗所や夜間における操作性を高めるとともに、操作キー３１全体を比較的均一に照光させて見栄えを高めることができる。また、鏡面リブ１０１によって、発光素子９１から操作キー３１に向かう光路を十分に確保した構造が得られる。
【００５９】
（第２変形例）
前述した電子機器１０（図２参照）においては、上部筐体５０Ｕでは光を透過させない構成を例示したが、上部筐体５０Ｕにおいて光を透過させることにより、操作キー３１を照光させることも可能である。
【００６０】
図１２に示すように、例えば、第２変形例の電子機器１１０では、上部筐体１１１Ｕの裏側部分１１２を光が透過可能な材料で形成する。このような裏側部分１１２は、例えば、２色成形法を用いた樹脂成形において成形金型のコア側の樹脂材料を、透明性を有する樹脂材料で成形することにより、得ることができる。なお、この例では、凹部７５の表面側に遮光部を設けない構成を示す。
【００６１】
この第２変形例の電子機器１１０によれば、点灯した発光素子９１から放射された光が、弾性プレート７０を透過した後、上部筐体１１１Ｕの裏側部分１１２を通じて操作キー３１の下部（ここでは、キー本体３５の外周やフランジ部３６の外周）に照射される。これにより、操作キー３１の周囲や表示３７を十分な光量で照光させることができ、使用者は暗所や夜間であっても操作キー３１及びその表示３７を視認することができる。したがって、電子機器１１０においても、簡易的な構造により、操作キー３１を照光させて暗所や夜間における操作性を高めるとともに、操作キー３１全体を比較的均一に照光させて見栄えを高めることができる。また、上部筐体１１１Ｕの裏側部分１１２によって、発光素子９１から操作キー３１に向かう光路を十分に確保した構造が得られる。
【００６２】
なお、実施形態及び変形例では、電子機器１０，１００，１１０を示したが、これらの電子機器１０，１００，１１０を適宜組み合わせた構成でもよい。例えば、本発明は、電子機器１０と電子機器１００を組み合わせた構成や、電子機器１０と電子機器１１０を組み合わせたものでもよい。
【００６３】
以上、本発明の実施形態及びその変形例を説明したが、本発明の範囲は、上述の実施形態及びその変形例に限定するものではなく、特許請求の範囲に記載された発明の範囲をその均等の範囲を含む。
【００６４】
以下に、この出願の願書に最初に添付した特許請求の範囲に記載した発明を付記する。付記に記載した請求項の項番は、この出願の願書に最初に添付した特許請求の範囲の通りである。
＜請求項１＞
少なくとも１つの操作キーに対応する開口を有する筐体と、
前記筐体内に配置され、前記操作キーに対応する電極と前記電極の周辺位置に設けられる発光素子とを有する基板と、
前記基板上に設けられ、前記電極を通電可能にする可動接点部を有するとともに前記発光素子からの光が透過するように構成されたキー接点プレートと、
前記開口に設けられ、少なくとも一部が光透過部材で形成された本体部と、前記筐体の内側に位置する部分に設けられ、前記本体部に光を伝搬するフランジ部と、を有する操作キーと、を備え、
前記フランジ部は、前記発光素子に対向する部分の少なくとも一部が切欠かれた形状となることを特徴とする電子機器。
＜請求項２＞
前記操作キーは、前記操作キーの裏面に操作キーの種類を表す表示が印刷されていることを特徴とする請求項１に記載の電子機器。
＜請求項３＞
前記開口は、前記切り欠きに対向する前記開口の縁部が操作キー側に向く傾斜面となるように面取りされていることを特徴とする請求項１又は請求項２に記載の電子機器。
＜請求項４＞
前記キー接点プレートには、前記発光素子と対向する位置の表面側に遮光部が設けられていることを特徴とする請求項１から請求項３のいずれか１項に記載の電子機器。
＜請求項５＞
前記遮光部が、遮光用塗料で形成されていることを特徴とする請求項４に記載の電子機器。
＜請求項６＞
前記フランジ部は、前記発光素子に近接する辺が略直線形状に形成され、
前記切り欠きは、前記略直線形状の部分の中間に形成されていることを特徴とする請求項１から請求項５のいずれか１項に記載の電子機器。
＜請求項７＞
前記筐体は、前記複数の前記開口の設けられる領域の外周に溝部を有し、
前記キー接点プレートは、前記キー接点プレートの外周に前記溝部に向いて突出する突出部を有し、
前記突出部が、前記溝部に嵌め込まれることで前記開口と前記操作キーとの隙間から浸入する液体の前記基板側への浸入を防止する防滴構造を形成していることを特徴とする請求項１から請求項６のいずれか１項に記載の電子機器。
＜請求項８＞
前記筐体は、表示画面のための画面用開口を有し、
前記画面用開口は、透明プレートによって塞がれていることを特徴とする請求項１から請求項７のいずれか１項に記載の電子機器。
＜請求項９＞
前記キー接点プレートは、ゴム材料からなることを特徴とする請求項１から請求項８のいずれか１項に記載の電子機器。
＜請求項１０＞
前記発光素子は、前記操作キーを見る正面視の配置状態で前記基板を見たときに、前記各電極に対して前方向側の位置に、少なくとも設けられることを特徴とする請求項１から請求項９のいずれか１項に記載の電子機器。
＜請求項１１＞
前記発光素子は、前記操作キーを見る正面視の配置状態で前記基板を見たときに、前記各電極に対して左右方向のいずれか一方側に、少なくとも設けられることを特徴とする請求項１から請求項１０のいずれか１項に記載の電子機器。
＜請求項１２＞
前記接点部は、カーボン蒸着により形成されていることを特徴とする請求項１から請求項１１のいずれか１項に記載の電子機器。
＜請求項１３＞
前記電子機器が電子式卓上計算機であることを特徴とする請求項１から請求項１２のいずれか１項に記載の電子機器。
【符号の説明】
【００６５】
１０  電子機器
２１  表示画面
３１  操作キー
３１ａ〜３１ｄ  操作キー
３６  フランジ部
３７  表示
４１  辺
４２  辺
４３  切り欠き
５０  筐体
５１  開口
５１ａ〜５１ｄ  開口
５２  縁部
５３  縁部
５５  傾斜面
５７  画面用開口
５８  透明プレート
６１  溝部
７０  弾性プレート
７２  突出部
７６  遮光部
８１  接点部
８１ａ〜８１ｄ  接点部
９０  基板
９１  発光素子
９２  電極
９２ａ〜９２ｄ  電極
【図１】
0005979166.tif 000002
【図２】
0005979166.tif 000003
【図３】
0005979166.tif 000004
【図４】
0005979166.tif 000005
【図５】
0005979166.tif 000006
【図６】
0005979166.tif 000007
【図７】
0005979166.tif 000008
【図８】
0005979166.tif 000009
【図９】
0005979166.tif 000010
【図１０】
0005979166.tif 000011
【図１１】
0005979166.tif 000012
【図１２】
0005979166.tif 000013